(57)【特許請求の範囲】
【請求項１】
バストの下側周縁に沿ってワイヤーを装着するカップ部を有する衣類であって、
少なくとも下カップ部を構成する肌に接する肌側布を、クッション材で形成すると共にワイヤーの取付位置で表側へ折り返すことなく、該肌側布よりも表側にワイヤーを装着し、かつ、該肌側布の下端縁は、上記ワイヤーをカバーする位置あるいはワイヤーより下方へ延在させた位置とし、上記肌側布の外側に表側布を配置し、該肌側布と表側布の間で上記ワイヤーをテープに封入して配置し、
ワイヤー封入テープの上縁は上記表側布にのみ縫着して上記肌側布と縫着せず、かつ、 該ワイヤー封入テープの下縁は両側の表側布と肌側布に縫着していることを特徴とするカップ部を有する衣類。
【請求項２】
上記肌側布のクッション材は厚さ２ｍｍ〜７ｍｍのウレタン、不織布、ダブルラッセルから選択され、前記テープは袋状バイヤステープからなる請求項１に記載のカップ部を有する衣類。
【請求項３】
バストの下側周縁の下部に配置する土台布を備え、該土台布を表側布、ワイヤー封入テープおよび上記肌側布と縫着している請求項１または請求項２に記載のカップ部を有する衣類。
【請求項４】
上記土台布は上記表側布の外側に配置し、該土台布にワイヤー封入テープを縫着し、かつ、該縫着位置より下側位置で土台布と肌側布とを縫着している請求項３に記載のカップ部を有する衣類。
【請求項５】
上記土台布は表側土台布と肌側土台布とからなり、肌側土台布はクッション材で形成し、肌側布と突き合わせて位置させ、テープを介して縫着している請求項３に記載のカップ部を有する衣類。
【請求項６】
上記肌側布は土台布取付位置まで延在した土台布部を備え、該土台布部を表側に位置する上記土台布の裏打ち布とし、上記肌側布は、その土台布部の下縁のみを土台布と縫着している請求項３または請求項４に記載のカップ部を有する衣類。
【請求項７】
上記肌側布は上下カップ部、下カップ部のみ、或いは下カップ部と該下カップ部より下方へ延在する土台布部とからなる一方、
上記表側布は上下カップ部を備えると共にクッション材からなる請求項３乃至請求項６のいずれか１項に記載のカップ部を有する衣類。
【発明の詳細な説明】
【０００１】
【発明の属する技術分野】
本発明は、ワイヤーを装着したカップ部を有する衣類であって、該ワイヤーによる肌当たりや圧迫感を緩和するものに関する。
【０００２】
【従来の技術】
従来より、ブラジャー等は、立体的で豊かなバストライン形成のために、バージスラインに当たるカップ部下縁にワイヤーを装着し、バストアップ等の補整・造形効果を高めているものが多い。該ワイヤーはデザイン性等の問題からカップ布の肌側に縫着されることが多く、この場合、ワイヤーの肌当たりがきつく、ワイヤー跡が肌に残ったり、着用中に違和感や強い締め付け感を感じる等の問題があった。
【０００３】
上記問題に関し、本出願人は、特許第２８５３０９１号において、図１４（Ａ）（Ｂ）に示すように、ワイヤー４を表側カップ布２と肌側カップ布３とからなるカップ本体１に内蔵し、ワイヤー４がワイヤーを封入したテープ布４、肌側カップ布３の折り返し部（縫い代）３ａおよび肌側カップ布３の本体部３ｂと、複数の布を介して肌側に当たるようにして、ワイヤーの肌当たりを柔らかくするものを提供している。
【０００４】
【発明が解決しようとする課題】
上記従来例では、ワイヤー４の肌側に位置する肌側カップ布３の下端縁を折り返し、該折り返し部３ａをワイヤー４に重ねているが、肌当たりを良くするために、肌側カップ布３をウレタン等の厚いクッション材で形成する場合、折り返すことにより、厚いクッション材が２重となり、この折り返しで段差が生じることとなる。このように、ワイヤー取付位置に段差が生じると、この段差により肌への圧迫感が加わる問題が生じる。
【０００５】
本発明は上記した問題に鑑みてなされたものであり、ワイヤーを装着したカップ部を有する衣類において、ワイヤーの取付位置に段差を無くして圧迫感を解消することを課題としている。
【０００６】
【課題を解決するための手段】
上記課題を解決するために、本発明は、バストの下側周縁に沿ってワイヤーを装着するカップ部を有する衣類であって、
少なくとも下カップ部を構成する肌に接する肌側布を、クッション材で形成すると共にワイヤーの取付位置で表側へ折り返すことなく、該肌側布よりも表側にワイヤーを装着し、かつ、該肌側布の下端縁は、上記ワイヤーをカバーする位置あるいはワイヤーより下方へ延在させた位置とし、上記肌側布の外側に表側布を配置し、該肌側布と表側布の間で上記ワイヤーをテープに封入して配置し、
ワイヤー封入テープの上縁は上記表側布にのみ縫着して上記肌側布と縫着せず、かつ、 該ワイヤー封入テープの下縁は両側の表側布と肌側布に縫着していることを特徴とするカップ部を有する衣類を提供している。
【０００７】
上記クッション材としては、厚さが２ｍｍ〜７ｍｍと厚い不織布、ウレタン、ダブルラッセル等が好適に用いられる。即ち、通常の素材は、密度２０〜２８ｇ／ｃｍ3、硬度は１３〜１６ｋｇｆ／ｃｍ2であるが、本発明で用いるクッション材は、密度が３５〜４５ｇ／ｃｍ3、硬度が１０〜１２．５ｋｇｆ／ｃｍ2のものが好適に用いられ、例えば、ブリヂストン化成品中部株式会社製の高反発ウレタンフォームが好適に用いられる。
【０００８】
上記のように、本発明では、肌側布をクッション材で形成しているため、肌に優しくバストをふんわりと包むことができ、かつ、ワイヤー取付位置で折り返さずに段差がつきにくくして、ワイヤー取付位置での圧迫感の発生を無くしている。即ち、肌側布の下端縁をワイヤーをカバーする位置、あるいはワイヤー取付位置よりも下方へ延在させてワイヤー取付位置に当たる肌側布は、段差を有しない平坦状で上方から連続させ、かつ、該肌側布がクッション材であるため緩衝作用を発揮させることと相俟って、肌への圧迫感の発生を解消している。
【０００９】
上記肌側布にはワイヤー取付位置には折り返し部を設けていないと共に、該ワイヤー取付位置よりも更に下方へ延在させた場合にも、その下端縁に折り返し部を設けていないことが好ましい。しかしながら、肌側布をワイヤー取付位置よりも更に下方に延在させて後述する土台布部を一体的に設けた場合には、その下端縁を折り返して表側の土台布と縫着してもよい。即ち、ワイヤー取付位置で折り返して段差を発生させなければ良い。
【００１０】
上記肌側布の外側に表側布を配置し、上記ワイヤーを肌側布と表側布の間で、テープに封入して配置し、ワイヤー封入テープの上縁は上記表側布と縫着するが上記肌側布と縫着しない一方、上記ワイヤー封入テープの下縁は両側の表側布と肌側布に縫着している。
【００１１】
また、バストの下側周縁の下部に配置する土台布を設け、該土台布を表側布、ワイヤー封入テープ布および上記肌側布と縫着することが好ましい。
その際、土台布は表側布の外側に配置し、土台布に表側布およびワイヤー封入テープ布を縫着し、かつ、該縫着位置より下側位置で土台布を肌側布と縫着していることが好ましい。しかしながら、土台布、表側布、テープ、肌側布を同時に縫着してもよい。
このように、土台布を設けると肌側布および表側布をしっかりと安定させることができる。
【００１３】
上記土台布は表側土台布と肌側土台布とから構成し、肌側土台布は高反発性を有するクッション材で形成し、肌側布と突き合わせで位置させ、薄布のテープを肌側に介在させて縫着してもよい。
また、肌側土台布を設ける代わりに、肌側布に土台布取付位置まで延在した土台布部を設け、該土台布部を表側に位置する上記土台布の裏打ち布とし、肌側布は、その下縁のみを土台布と縫着することが好ましい。
【００１４】
上記肌側布は上下カップ部を有する構成としている。あるいは、肌側布は下カップ部のみ、或いは下カップ部と土台部とからなる構成としてもよい。肌側布が上カップ部を有しない場合、表側布は上下カップ部を備えると共にクッション材から構成する必要がある。このように、肌側布および表側布の両方をクッション材で構成すると、下カップ部がダブルパッド構造となり、造形性と密着性を兼ね備え、バストに優しくフィットさせることができる。
【００１５】
表側布をクッション材で形成した場合、その表面にレース布をラミネートして装飾性を高めることが好ましい。あるいは、表側布の表面にさらに装飾布を取り付けてもよい。
【００１６】
高反発性を有するクッション材で形成した肌側布が上下カップ部を有する場合、表側布はストレッチレース布、あるいは伸縮性を有しないレース布、トリコットなど、単に装飾性を有するものでもよい。
【００１７】
【発明の実施の形態】
以下、発明の実施形態を図面を参照して説明する。
図１乃至図３は、本発明の第１実施形態に係るブラジャー１０Ａを示し、左右の肌側布１１と表側布１２からなるカップ部Ｃと、土台布１３、左右の背面布１４、肩紐１５で構成され、カップ部Ｃの下縁にワイヤー１６を備えている。
【００１８】
肌側布１１は上下カップ部を有し、バスト全体を覆う形状であり、表側布１２も肌側布と同様に上下カップ部を有する形状 としている。表側布１２はトリコット、肌側布１１は高反発ポリウレタンにスーパーハイマルチフィラメントのピーチタッチ素材であるシルフローラ天竺をラミネートした生地を用いている。
【００１９】
上記土台布１３は、アンダーバスト部分を正面側から両脇にかけて覆い、該土台布１３の脇側端縁には左右の背面布１４を縫着し、背面布の後端には係止具１８を取り付け、背面側で着脱自在に係止できるようにしている。また、肌側カップ布１１の脇側上端縁、土台布１３の脇下上端縁、背面布１４の上端縁に沿って、肌側に連続して縁テープ１９を縫着し、土台布１３の下端縁から背面布１４の下端縁に沿っても肌側に連続して縁テープ２０を縫着している。背面布１４とカップ部Ｃとは肩紐１５で長さ調節自在に連結している。
【００２０】
上記ワイヤー１６は、断面扁平形状の樹脂製ワイヤーを用い、細幅の袋状バイヤステープからなるテープ１７に封入している。
【００２１】
上記各布は、図３に示すように、ワイヤー取付位置では、表側から、土台布１３の上端部、表側布１２の下端部、ワイヤー１６を封入したテープ１７の順に重ね、テープ１７の上下両側端位置でこれらを一体に縫着（Ｈ１）している。また、テープ１７の肌側に、肌側布１１を重ねると共に、該肌側布１１の下端縁１１ａをワイヤー位置で折り返すことなく、テープ１７の下端縁１７ａよりも下方へ位置させ、土台布１３、表側カップ布１２、肌側布１１を一体に縫着（Ｈ２）している。
【００２２】
上記したブラジャー１０Ａでは、ワイヤー取付位置で、肌側布１１が折り返されずワイヤー取付位置の下方へと延在しているため、ワイヤー取付位置を越えて肌側布１１は上方から段差を生じることなく平坦状とし、かつ、肌側布１１を高反発ポリウレタンを用いているため、その高いクッション性で、ワイヤー取付位置での肌当たりを大幅に和らげ着用感を高めることができる。その結果、まるでワイヤーを装着していないかのような、ふんわりと柔らかい快適な着用感とすることができる。さらに、ワイヤー１６を封入しているテープ１７を肌側布に縫着していないため、ワイヤーがバストの隆起に沿って前方に立ち上がりやすくなり、ワイヤーの肌あたりが柔らかいにもかかわらず高い造形効果も発揮することができる。
【００２３】
図４は第１実施形態の参考変形例を示し、肌側布１１を図３の第１実施形態よりも下方へ延在させている。該変形例では、ワイヤー１６を封入したテープ１７の上下両端は、土台布１３の上端部と表側布１２の下端部とに縫着（Ｈ１）しているが、肌側布１１はテープ１７と縫着せず、延在させた下端部１１ａを土台布１３とのみ縫着（Ｈ２’）している。
該構成とすると、肌側布１１でワイヤー封入テープを完全にカバーでき、肌当たりをよりソフトにすることができる。
【００２４】
図５および図６は本発明の参考第２実施形態に係るブラジャー１０Ｂを示している。本参考実施形態においては、土台布１３を表側土台布１３Ａと肌側土台布１３Ｂより構成し、肌側土台布１３Ｂは肌側布１１と同一素材で同一の厚さの高反発性を有するクッション材から形成している。肌側布１１はワイヤー１６を覆うが、テープ１７の下端１７ａより上端位置にあり、該肌側布１１の下端を肌側土台布１３Ｂの上端と突き合わせ、肌側に薄いテープ布２２を当てて、該テープ布の上下を肌側布１１と肌側土台布と縫着（Ｈ３）している。
【００２５】
ワイヤー１６を封入したテープ１７は、その上下両端を表側土台布１３Ａおよび表側布１２と縫着（Ｈ１）しており、テープ１７は肌側の肌側布１１および肌側土台布１３Ｂと縫着していない。肌側土台布１３Ｂは、その下端を表側土台布１３Ａと縫着（Ｈ４）している。
【００２６】
上記構成のブラジャー１０Ｂにおいては、肌に接する肌側布１１および肌側土台布１３Ｂはワイヤー１６を封入したテープ１７と縫着していないため、ワイヤーを封入したテープ１７による拘束はなく、かつ、クッション材からなる肌側布１１と肌側土台布１３Ｂとで肌側を連続して覆い、しかも、肌側布１１と肌側土台布１３Ｂとの連続部が、突き合わせで段差を発生させていないため、ワイヤー取付位置において、ワイヤー装着による影響を無くして、肌当たりを非常に柔らくすることができる。
【００２７】
図７および図８は参考第３実施形態に係るブラジャー１０Ｃを示している。本参考実施形態は、肌側布１１’を下カップ部のみを有する形状とし、表側布１２’は上下カップ部を有する形状としている。上記肌側布１１’は第１実施形態と同様の高反発ポリウレタンにスーパーハイマルチフィラメントのピーチタッチ素材であるシルフローラ天竺をラミネートした素材を用い、表側布１２’としては、高反発性を有するクッション材からなる不織布を用いている。このように、参考第３実施形態では、下カップ部を２枚重ねのクッション材から構成したダブルパット式のブラジャーとしている。また、上記表側布１２’の表面（外面）の所要箇所にレース布からなる装飾布３０を縫着あるいはラミネート接着している。
【００２８】
上記クッション材からなる肌側布１１’および表側布１２’の下端は、バージスラインに沿って配置するワイヤー１６を覆う位置まであり、かつ、肌側布１１’は表側布１２’よりも更に下方へと延在させている。該ワイヤー１６を封入したテープ１７は、肌側布１１’と表側布１２’との間に配置している。該テープ１７の上下両端は土台布１３の上端部と表側布１２’の下端部とに縫着（Ｈ５）している。下カップ部のみの肌側布１１’は土台布１３とのみ縫着（Ｈ６）している。なお、本実施形態では肌側布１１’の上端は表側布と縫着せずにフリーとしているが、上端縁を表側布１２’に縫着してもよい。
【００２９】
本参考実施形態では、下カップ部はダブルパット構造としているため、肌への密着度が増し、特に乳房の下部に肌側布１１’が当たり下からの持上げ効果も有するため、バストライン造形効果を高めることができる。また、他の実施形態と同様に、クッション性の高い肌側布１１’がワイヤー１６の肌側を覆い、かつ、折り返していないため段差は生じない。
【００３０】
図９は、上記参考第３実施形態の参考変形例に係るブラジャー１０Ｃ’を示し、上記表側布１２’の表面（外面）の所要箇所にレース布からなる装飾布３０を配置している。該装飾布３０はトリコットからなり、土台布１３の外側（表側）に重ね、該表側布１２’の下端縁と土台布１３の上端縁とを縫着（Ｈ６）している。この場合、該装飾布３０で表側布１２’を覆ってデザイン性を高めることができる。
【００３１】
図１０は、参考第４実施形態に係るブラジャー１０Ｄを示し、参考第３実施形態と同様に、クッション材からなる下カップのみの肌側布１１’と上下カップを有する表側布１２’と、装飾布３０を備え、該装飾布３０の下端周縁の表側に土台布１３の上端縁を重ねている。
【００３２】
上記表側布１２’と装飾布３０との間にワイヤー１６を封入したテープ１７を配置し、土台布１３、装飾布３０、表側布１２’をテープ１７の上下両端と縫着（Ｈ７）しており、肌側布１１’は装飾布３０および土台布１３と縫着（Ｈ８）し、テープ１７及び表側布１２’と縫着していない。
【００３３】
本参考実施形態では、ワイヤー１６より肌側に表側布１２’および肌側布１１’の２枚のクッション材が位置するため、ワイヤー１６の肌触りを一層柔らかくすることができる。
【００３４】
図１１は参考第４実施形態の参考変形例に係わるブラジャー１０Ｅを示し、肌側布１１’も上下カップ部を有する形状としている点だけ変更している。このように、上下カップ部ともダブルパッド構造とすると、バストをふんわりと優しく包みながらバストの造形性を高めることが出来ると共に、ワイヤーの当たりを柔らかくすることができる。
【００３５】
図１２は参考第５実施形態のブラジャー１０Ｆを示し、クッション材からなる肌側布１１”は上下カップ部を有すると共に下カップの周縁より更に下方に延在し、カップ部１１ａ”に連続した肌側土台布部１１ｂ”を設けている。該肌側布１１”と表側布１２との間にワイヤー１６を封入したテープ１７を配置し、かつ、表側布１２の表面側に土台布１３を配置している。
【００３６】
ワイヤー１６を封入したテープ１７は表側布１２および土台布１３と縫着（Ｈ１）している。また、土台布１３、表側布１２と肌側布１１”を縫着（Ｈ９）すると共に、土台布１３の下端と肌側土台布部１１ｂ”の下端を縫着（Ｈ１０）している。肌側布１１”はカップ部と土台部とが連続した形状であるため、ワイヤー１６を装着するバージスラインに沿った位置にはテープ３３を縫着して、カップ部と土台部とを区画して、土台部からカップ部が膨出する形態を保持できるようにしている。
【００３７】
なお、上記表側布１２は肌側布１１”と同様なクッション材から形成してもよいし、第１実施形態と同様にクッション性のないトリコット等から形成してもよい。
【００３８】
上記のように、クッション材からなる肌側布１１”を土台布を構成する部分まで延在させると、肌側での布の継ぎ目が無くなるため、肌当たりをより柔らかくすることができる。
【００３９】
図１３は第６実施形態のブラジャー１０Ｈを示し、該ブラジャー１０Ｈでは土台布をなくした点が第１実施形態と相違している。即ち、クッション材からなる肌側布１１とクッション性を有しない表側布１２’とからなり、肌側布１１の下端はワイヤー１６を覆う位置とする一方、表側布は肌側布１１の肌側に折り返される長さとして、肌側でテープ３５に介在させて肌側布１１と表側布１２’を縫着している。これら肌側布１１と表側布１２’の間にワイヤー封入テープ１７を配置し、テープ１７の上端を表側布１２と縫着すると共に、テープ１７の下端を表側布１２’、肌側布１１、折り返された表側布およびテープ３５とを一体的に縫着（Ｈ１１）している。
【００４０】
このように、土台布なしのブラジャーにおいても適用することができ、肌側布１１の下端をワイヤー１６を覆う位置までとしておくことにより、ワイヤーの肌当たりを柔らかくすることができる。
【００４１】
本発明は上記実施形態に限定されず、ロングブラジャー、ボディスーツ、カップ付き肌着など幅広く適用することができる。肌側布にはポリウレタンフォームの他、不織布、ダブルラッセル等の生地を用いてもよい。また、ワイヤーを封入するものはバイヤステープに限らず、チューブでもよい。
【００４２】
【発明の効果】
以上の説明より明らかなように、本発明によれば、比較的厚さのあるクッション材からなる肌側布の下端縁を折り返さず、ワイヤーをカバーする位置あるいは更に下方まで延在させ、ワイヤー取付位置で段差を発生させていないため、ワイヤーの取付による圧迫感や違和感を緩和あるいは解消することができる。
【００４３】
ワイヤーはテープに封入し、該テープを肌側布より表面側に配置しているため、ワイヤー取付位置の肌側には平滑で厚さの有るクッション材が位置するため、上記段差を発生させないことと相俟ってワイヤー位置での肌あたりを非常に滑らかで且つ柔らかくすることできる。特に、肌側カップ布を、ワイヤーを封入した袋状バイヤステープと下端縁でのみ縫着する、あるいはいずれの箇所とも直接に縫着しないことにより、肌側布がワイヤーの移動により拘束されず、ワイヤーを装着していないような着用感を得ることができる。
【００４４】
また、土台布としてクッション材を用いた場合、該土台布を肌側布に突き合わせてテープを介して縫着し、土台布と肌側布の厚みを揃えると、バージスラインでの生地の重なりや生地厚の段差を解消し、肌当たりを一層良好としている。
【００４５】
さらには、肌側布を下カップのみとし、表側布もクッション材で形成すると共に上下カップを有する構成とすると、下カップはダブルパット構造となり、肌への密着度が高まり、特にバストの下部を保持して持上け効果も発揮するため、ワイヤーの肌当たりが柔らかいにもかかわらず、バストラインの造形性を高めることができる。
【図面の簡単な説明】
【図１】  本発明の第１実施形態に係るブラジャーを示す正面側斜視図である。
【図２】  図１に示すブラジャーの背面図である。
【図３】  図２のIII−III線概略断面図である。
【図４】  第１実施形態の参考変形例を示す概略断面図である。
【図５】  参考第２実施形態に係るブラジャーの要部背面図である。
【図６】  図５のＶ−Ｖ線概略断面図である。
【図７】  参考第３実施形態に係るブラジャーの要部背面図である。
【図８】  図７のVII−VII線概略断面図である。
【図９】  参考第３実施形態の変形例を示す概略断面図である。
【図１０】  参考第４実施形態を示す概略断面図である。
【図１１】  参考第４実施形態の変形例を示す概略断面図である。
【図１２】  参考第５実施形態を示す概略断面図である。
【図１３】  第６実施形態を示す概略断面図である。
【図１４】  （Ａ）（Ｂ）は従来例を示す図である。
【符号の説明】
１０Ａ、１０Ｂ、１０Ｃ、１０Ｃ’、１０Ｄ、１０Ｅ、１０Ｆ、１０Ｈ
ブラジャー
１１  肌側布
１２  表側布
１３  土台布
１３Ａ  表側土台布
１３Ｂ  肌側土台布
１６  ワイヤー
１７  バイヤステープ
Ｈ１〜Ｈ１１  縫着
【図１】
0004550968.tif 000002
【図２】
0004550968.tif 000003
【図３】
0004550968.tif 000004
【図４】
0004550968.tif 000005
【図５】
0004550968.tif 000006
【図６】
0004550968.tif 000007
【図７】
0004550968.tif 000008
【図８】
0004550968.tif 000009
【図９】
0004550968.tif 000010
【図１０】
0004550968.tif 000011
【図１１】
0004550968.tif 000012
【図１２】
0004550968.tif 000013
【図１３】
0004550968.tif 000014
【図１４】
0004550968.tif 000015